(57)【要約】【課題】  無駄なアイドル歯車群を削減可能で、被駆動体相互の負荷の影響を協力少なくし、かつ、軸方向への消耗品脱着が容易な駆動伝達機構を有し、各画像形成ステーションでの駆動条件を一致させ画質の良いフルカラー画像を形成できるタンデム型カラー画像形成装置を提供することを目的とする。【解決手段】  カラー画像を形成するタンデム型カラー画像形成装置において、複数の感光体及び現像機をそれぞれの駆動源で駆動し、そのうちの１つの駆動源は転写ベルトに対して駆動伝達する構成とし、転写ベルトを駆動する駆動源により駆動される感光体により形成されるレジストマークを基準マークとして他の駆動源を駆動することを特徴とする。【選択図】  図４
2006171632.tif 000002
【特許請求の範囲】
【請求項１】
カラー画像を形成するタンデム型カラー画像形成装置において、各画像形成ステーションの感光体及び現像器をそれぞれ１つの駆動源で駆動し、そのうちの１つの画像形成ステーションの駆動源は転写ベルトに対して駆動伝達する構成とし、転写ベルトを駆動する駆動源により駆動される感光体により形成されるレジストマークを基準マークとして他の画像形成ステーションの駆動源を駆動することを特徴とするタンデム型カラー画像形成装置。
【請求項２】
前記転写ベルトを駆動する駆動源において、感光体と転写ベルトは同軸に被駆動ギアを配置しモータピニオンから駆動伝達し、現像器の被駆動ギアを別軸に配置しモータピニオンから駆動伝達することを特徴とする請求項１に記載のタンデム型のカラー画像形成装置。
【請求項３】
感光体の駆動力はカップリングを介して伝達され、現像器の駆動力はギア受け渡しにより伝達され、現像器被駆動ギアは、軸方向に摺動可能とすることを特徴とする請求項１又は２に記載のタンデム型カラー画像形成装置。
【請求項４】
前記モータピニオンを挟んで同軸の感光体及び転写ベルトの被駆動ギアと別軸の現像器の被駆動ギアを直線状に配置することを特徴とする請求項１〜３のいずれかに記載のタンデム型カラー画像形成装置。
【請求項５】
前記転写ベルトを駆動する駆動源が単色モードの画像を形成する画像形成ステーションとすることを特徴とする請求項１〜４のいずれかに記載のタンデム型カラー画像形成装置。
【請求項６】
前記転写ベルトを駆動する駆動源が黒色の画像を形成する画像形成ステーションとすることを特徴とする請求項１〜４のいずれかに記載のタンデム型カラー画像形成装置。
【発明の詳細な説明】
【技術分野】
【０００１】
本発明は、像担持体の周囲に帯電手段、像書込手段及び現像手段を配置した画像形成ステーションを転写ベルトに沿って各色毎に設け、転写ベルトを各画像形成ステーションに通過させることによりカラー画像を形成するタンデム型カラー画像形成装置に関する。
【背景技術】
【０００２】
従来、電子写真技術を用いた画像形成装置においては、像担持体である感光体を帯電手段により帯電し、帯電された感光体上に画像情報に応じた光照射を行って潜像を形成し、この潜像を現像手段によって現像し、現像されたトナー像を記録媒体に転写して画像を形成することが行われている。一方、画像のカラー化に伴って、各画像形成プロセスを実行する画像ステーションを複数備え、シアン像、マゼンタ像、イエロー像、ブラック像の各色トナー像をそれぞれの感光体に形成し、各感光体の転写位置において無端状の中間転写体にこれらのトナー像を重ね合わせて転写することによりフルカラー画像を形成するタンデム型のカラー画像形成装置も提案されている。
【０００３】
従来のカラー画像形成装置においては、各画像形成ステーションの感光体駆動用、現像手段駆動用及び転写ローラ駆動用等の被駆動体それぞれについて個別に駆動用モータが設けられていた。このように、被駆動体毎に駆動モータを配置すると、装置が大型化し、コストアップの要因になるので、１つの駆動モータで複数の被駆動体を駆動する方式も実施されている。特開２００３−３５９８４号公報には、１つの駆動モータにより複数の感光体が駆動され、複数の感光体駆動ギアと現像ローラの駆動ギアで連結したカラー画像形成装置が開示されている。また、特開２００３−１３２４６４号公報には、１つの駆動モータの駆動力を分岐し感光体と現像器を駆動し、この駆動モータから定着装置駆動力入力ギアへの駆動力伝達を切り換えるクラッチを設けた画像形成装置が開示されている。
【特許文献１】特開平２００３−３５９８４号公報
【特許文献２】特開平２００３−１３２４６４号公報
【発明の開示】
【発明が解決しようとする課題】
【０００４】
しかしながら、特開２００３−３５９８４号公報に開示されたものは、アイドル歯車数が多く、歯車精度の観点から画質への影響が大きいという問題と、感光体駆動の途中から現像駆動へ分岐しているため、お互いの負荷が影響しあうという問題を有する。また、特開２００３−１３２４６４号公報に開示されたものは、定着装置の駆動をクラッチ手段により切り換えるので、複雑な構造となるという問題を有するものであった。また、カラー画像形成装置においては、各色のトナー像を重ね合わせてフルカラー画像を形成するため、画質を向上するためには各画像形成ステーションの駆動条件を調整する必要がある。
【０００５】
本発明は、前記課題を解決する、無駄なアイドル歯車群を削減可能で、被駆動体相互の負荷の影響を協力少なくし、かつ、軸方向への消耗品脱着が容易な駆動伝達機構を有し、各画像形成ステーションでの駆動条件を一致させ色ズレのない高品質のフルカラー画像を形成できるタンデム型カラー画像形成装置を提供することを目的とする。
【課題を解決するための手段】
【０００６】
本第１発明は、前記課題を解決するために、カラー画像を形成するタンデム型カラー画像形成装置において、各画像形成ステーションの感光体及び現像器をそれぞれ１つの駆動源で駆動し、そのうちの１つの画像形成ステーションの駆動源は転写ベルトに対して駆動伝達する構成とし、転写ベルトを駆動する駆動源により駆動される感光体により形成されるレジストマークを基準マークとして他の画像形成ステーションの駆動源を駆動することを特徴とする。
【０００７】
本第２発明は、本第１発明のタンデム型カラー画像形成装置において、前記転写ベルトを駆動する駆動源において、感光体と転写ベルトは同軸に被駆動ギアを配置しモータピニオンから駆動伝達し、現像器の被駆動ギアを別軸に配置しモータピニオンから駆動伝達することを特徴とする。
【０００８】
本第３発明は、本第１又は第２発明のタンデム型カラー画像形成装置において、感光体の駆動力はカップリングを介して伝達され、現像器の駆動力はギア受け渡しにより伝達され、現像器被駆動ギアは、軸方向に摺動可能とすることを特徴とする。
【０００９】
本第４発明は、本第１〜第３発明のいずれかのタンデム型カラー画像形成装置において、前記モータピニオンを挟んで同軸の感光体及び転写ベルトの被駆動ギアと別軸の現像器の被駆動ギアを直線状に配置することを特徴とする。
【００１０】
本第５発明は、本第１〜第４発明のいずれかのタンデム型カラー画像形成装置において、前記転写ベルトを駆動する駆動源が単色モードの画像を形成する画像形成ステーションとすることを特徴とする。
【００１１】
本第６発明は、本第１〜第４発明のいずれかの発明のタンデム型カラー画像形成装置において、前記転写ベルトを駆動する駆動源が黒色の画像を形成する画像形成ステーションとすることを特徴とする。
【発明の効果】
【００１２】
カラー画像を形成するタンデム型カラー画像形成装置において、各画像形成ステーションの感光体及び現像器をそれぞれ１つの駆動源で駆動し、そのうちの１つの画像形成ステーションの駆動源は転写ベルトに対して駆動伝達する構成とし、転写ベルトを駆動する駆動源により駆動される感光体により形成されるレジストマークを基準マークとして他の画像形成ステーションの駆動源を駆動する構成により、他の画像形成ステーションより駆動負荷の大きい駆動源により感光体と転写ベルトを駆動するので、この駆動源により形成されるレジストマークを基準として他の画像形成ステーションの駆動源を駆動することにより色ズレの無い高品質のカラー画像を得ることができる。
前記転写ベルトを駆動する駆動源において、感光体と転写ベルトは同軸に被駆動ギアを配置しモータピニオンから駆動伝達し、現像器の被駆動ギアを別軸に配置しモータピニオンから駆動伝達する構成により、ギアの配置スペースを節約することができ、負荷変動の大きい現像駆動ギアを別軸とするので、他の被駆動体への負荷変動の影響を少なくすることができる。
感光体の駆動力はカップリングを介して伝達され、現像器の駆動力はギア受け渡しにより伝達され、現像器被駆動ギアは、軸方向に摺動可能とする構成により、駆動力受け入れ部が集中配置することができると共に、消耗品の交換の際の脱着が容易となる。
前記モータピニオンを挟んで同軸の感光体及び転写ベルトの被駆動ギアと別軸の現像器の被駆動ギアを直線状に配置する構成により、モータピニオンの倒れを防止する。
前記転写ベルトを駆動する駆動源が単色モードの画像を形成する画像形成ステーションとする構成により、最も使用頻度が高いため複数の画像形成ステーションの最下流に配置でき、転写ローラの駆動ローラとの位置関係から歯車の配置を簡素化できる。
前記転写ベルトを駆動する駆動源が黒色の画像を形成する画像形成ステーションとする構成により、単色モードとして選択される可能性が高いので、最も使用頻度が高いため複数の画像形成ステーションの最下流に配置でき、転写ローラの駆動ローラとの位置関係から歯車の配置を簡素化できる。
【発明を実施するための最良の形態】
【００１３】
本発明の実施の形態を図により説明する。図１は、本発明のカラー画像形成装置の１実施形態の全体構成を示す図である。図２は、本発明のカラー画像形成装置の１実施形態の一部構成を示す図である。なお、以下の説明において、各図面間で同一番号を付して説明を省略する場合がある。本実施形態は転写ベルトとして中間転写ベルトを用いた例である。
【００１４】
図１及び図２において、本実施形態の画像形成装置１は、ハウジング本体２を備え、ハウジング本体２内には、画像形成ユニット６、転写ベルトユニット９、給紙ユニット１０が配設され、さらに、二次転写ユニット１１、定着ユニット１２、記録媒体搬送手段１３が配設されている。画像形成ユニット６および給紙ユニット１０内の消耗品は、本体に対して着脱可能な構成であり、その場合には、転写ベルトユニット９を含めて取り外して修理または交換を行うことが可能な構成になっている。
【００１５】
転写ベルトユニット９は、駆動ローラ１４と、駆動ローラ１４の斜め上方に配設される従動ローラ１５と、この２本のローラ１４、１５間に張架されて図示矢印方向へ循環駆動される中間転写ベルト１６と、中間転写ベルト１６の表面に当接されるクリーニング手段１７とを備え、従動ローラ１５および中間転写ベルト１６が駆動ローラ１４に対して図で左側に傾斜する方向に配設されている。これにより中間転写ベルト１６駆動時のベルト搬送方向が下向きになるベルト面１６ａが下方に位置するようにされている。本実施形態においては、前記ベルト面１６ａはベルト駆動時のベルト張り面（駆動ローラ１４により引っ張られる面）である。
【００１６】
また、中間転写ベルト１６の搬送方向下向きのベルト面１６ａ裏面には、後述する各画像形成ステーションＹ，Ｍ，Ｃ，Ｋの像担持体２０に対向して１次転写部材２１が弾性力で当接され、１次転写部材２１は、図に示されるような板バネ状でも、ローラ状であってもよい。１次転写部材２１には転写バイアスが印加されている。
【００１７】
転写ベルトユニット９の支持フレーム９ａには、駆動ローラ１４に近接してテストパターンセンサ１８が設置されている。このテストパターンセンサ１８は、中間転写ベルト１６上の各色トナー像の位置決めを行うとともに、各色トナー像の濃度を検出し、各色画像の色ずれや画像濃度を補正するためのセンサである。
【００１８】
画像形成ユニット６は、複数（本実施形態では４つ）の異なる色の画像を形成する画像形成ステーションＹ（イエロー用），Ｍ（マゼンタ用），Ｃ（シアン用），Ｋ（ブラック用）を備え、各画像形成ステーションＹ，Ｍ，Ｃ，Ｋにはそれぞれ、感光ドラムからなる像担持体２０と、像担持体２０の周囲に配設された、帯電手段２２、像書込手段２３および現像手段２４を有している。なお、現像手段２４は、画像形成ステーションＫのみに図番を付けて他の画像形成ステーションについては構成が同一のため図番を省略する。また、各画像形成ステーションＹ，Ｍ，Ｃ，Ｋの配置順序は任意である。
【００１９】
そして、各画像形成ステーションＹ，Ｍ，Ｃ，Ｋの像担持体２０が中間転写ベルト１６の搬送方向下向きのベルト面１６ａに当接されるようにされ、その結果、各画像形成ステーションＹ，Ｍ，Ｃ，Ｋも駆動ローラ１４に対して図で左側に傾斜する方向に配設されることになる。像担持体２０は、図示矢印に示すように、中間転写ベルト１６の搬送方向に回転駆動される。
【００２０】
本実施形態においては、各画像ステーションＹ，Ｍ，Ｃ，Ｋが斜め方向に配設され、かつ像担持体２０が中間転写ベルト１６の搬送方向下向きのベルト面１６ａに当接される関係上、トナー貯留容器２６を斜め下方に傾斜して配置している。
【００２１】
現像手段２４は、トナー（図のハッチング部）を貯留するトナー貯留容器２６と、このトナー貯留容器２６内に形成されたトナー貯留部２７と、トナー貯留部２７内に配設されたトナー撹拌部材２９と、トナー貯留部２７の上部に区画形成された仕切部材３０と、仕切部材３０の上方に配設されたトナー供給ローラ３１と、仕切部材３０に設けられトナー供給ローラ３１に当接されるブレード３２と、トナー供給ローラ３１および像担持体２０に当接するように配設される現像ローラ３３と、現像ローラ３３に当接される規制ブレード３４とから構成されている。
【００２２】
像担持体２０は中間転写ベルト１６の搬送方向に回転され、現像ローラ３３および供給ローラ３１は、図示矢印に示すように、像担持体２０の回転方向とは逆方向に回転駆動され、一方、撹拌部材２９は供給ローラ３１の回転方向とは逆方向に回転駆動される。トナー貯留部２７において撹拌部材２９により撹拌、運び上げられたトナーは、仕切部材３０の上面に沿ってトナー供給ローラ３１に供給され、供給されたトナーはブレード３２と摺擦して供給ローラ３１の表面凹凸部への機械的付着力と摩擦帯電力による付着力によって、現像ローラ３３の表面に供給される。現像ローラ３３に供給されたトナーは規制ブレード３４により所定厚さの層厚に規制され、薄層化したトナー層は、像担持体２０へと搬送されて現像ローラ３３と像担持体２０が接触して構成するニップ部及びこの近傍で像担持体２０の潜像部を現像する。
【００２３】
給紙ユニット１０は、記録媒体Ｐが積層保持されている給紙カセット３５と、給紙カセット３５から記録媒体Ｐを一枚ずつ給送するピックアップローラ３６とからなる給紙部を備えている。第１の開閉部材３内には、二次転写部への記録媒体Ｐの給紙タイミングを規定するレジストローラ対３７と、駆動ローラ１４および中間転写ベルト１６に圧接される二次転写手段としての二次転写ユニット１１と、定着ユニット１２と、記録媒体搬送手段１３と、排紙ローラ対３９と、両面プリント用搬送路４０を備えている。
【００２４】
二次転写ユニット１１は、固定軸４１に回動自在に枢支された回動レバー４２と、回動レバー４２の一端に回動自在に設けられた二次転写ローラ１９と、回動レバー４２の他端と第１の開閉部材３間に配設されたスプリング４３とを備え、常時は、二次転写ローラ１９がスプリング４３の付勢により図示矢印方向に移動し、中間転写ベルト１６および駆動ローラ１４に押圧可能にされている。回動レバー４２のスプリング４３側には偏心カム４４が設けられ、回動レバー４２、スプリング４３および偏心カム４４は、二次転写ローラ１９の離当接手段を構成している。そして、偏心カム４４の回動により、回動レバー４２がスプリング４３に抗して回動し二次転写ローラ１９を中間転写ベルト１６から離れるようにされている。
【００２５】
定着ユニット１２は、ハロゲンヒータ等の発熱体を内蔵して回転自在な加熱ローラ４５と、この加熱ローラ４５を押圧付勢する加圧ローラ４６と、加圧ローラ４６に揺動可能に配設されたベルト張架部材４７と、加圧ローラ４５とベルト張架部材４７間に張架された耐熱ベルト４９を有し、記録媒体に２次転写されたカラー画像は、加熱ローラ４５と耐熱ベルト４９で形成するニップ部で所定の温度で記録媒体に定着される。本実施形態においては、中間転写ベルト１６の斜め上方に形成される空間、換言すれば、中間転写ベルト１６に対して画像形成ユニット６と反対側の空間に定着ユニット１２を配設することが可能になり、電装品ボックス、画像形成ユニット６および中間転写ベルト１６への熱伝達を低減することができ、各色の色ずれ補正動作を行う頻度を少なくすることができる。
【００２６】
図３は、画像形成ユニット６及び転写ベルトユニット９の駆動伝達機構の輪列配置を示す平面図である。画像形成ユニット８の各画像形成ステーションＹ、Ｍ、Ｃ、Ｋには、個別に第１〜第４の駆動モータが配置される。各駆動モータのモータピニオン５０Ｙ、５０Ｍ、５０Ｃ、５０Ｋは、感光体駆動アイドル歯車５１Ｙ〜５１Ｋと現像器駆動アイドル歯車５２Ｙ〜５２Ｋと噛合する。各画像形成ステーションＹ、Ｍ、Ｃ、Ｋの輪列配置は、各モータピニオン５０Ｙ、５０Ｍ、５０Ｃ、５０Ｋを挟んで、各感光体駆動アイドル歯車５１Ｙ、５１Ｍ、５０Ｃ、５０Ｋと各現像駆動第１アイドル歯車５２Ｙ、５２Ｍ、５２Ｃ、５２Ｋは直線上に配置される。各現像駆動第１アイドル歯車５２Ｙ、５２Ｍ、５２Ｃ、５２Ｋは、各現像駆動第２アイドル歯車５３Ｙ、５３Ｍ、５３Ｃ、５３Ｋと噛合する。感光体駆動アイドル歯車５０Ｋと同軸に転写駆動第１アイドル歯車５４（図４参照）が配置される。転写駆動第１アイドル歯車５４は、転写駆動第２アイドル歯車５５と噛合する。転写駆動第２アイドル歯車５５は、転写駆動歯車６６と噛合し、転写駆動ローラ１４を駆動する。画像形成ステーションＹ、Ｍ、Ｃにおいては、各モータピニオン５０Ｙ、５０Ｍ、５０Ｃから感光体駆動第１アイドル歯車５１Ｙ、５１Ｍ、５１Ｃと現像駆動第１アイドル歯車５２Ｙ、５２Ｍ、５２Ｃに二股に分岐する。画像形成ステーションＫにおいては、同軸の感光体駆動アイドル歯車５１Ｋと転写駆動第１アイドル歯車５４と別軸の現像駆動第１アイドル歯車５２Ｋに三股に分岐する。
【００２７】
図４は、三股に分岐している画像形成ステーションＫの駆動伝達機構の断面図であり、図５は、本体側の駆動伝達機構の斜視図である。図４において、１点鎖線で囲まれた部分は、感光体・現像器一体カートリッジを示すもので、カートリッジは装置本体に対して脱着自在である。装置本体の駆動基板５６の下面に画像形成ステーションＫの駆動モータ５７が取り付けられる。駆動基板５６上面に第１輪列支持板５８が取り付けられ、第１輪列支持板５８上に第２輪列支持板５９が取り付けられる。駆動モータ５７のモータピニオン５０Ｋは、駆動基板５６上面に突出する。駆動基板５６と第１輪列支持板５７に両端を支持された軸６０の上下に感光体駆動アイドル歯車５１Ｋと転写駆動第１アイドル歯車５４が回転自在に配置される。駆動基板５５と第２輪列支持板５８に両端を支持された軸６１に、現像駆動第１アイドル歯車５２Ｋがバネ６１を介して上下動可能かつ回転自在に配置される。現像駆動第１アイドル歯車５２Ｋは、カートリッジ内の現像駆動第２アイドル歯車５３Ｋと噛合し、現像駆動第２アイドル歯車５３Ｋは、現像駆動歯車６７と噛合し、現像ローラ３３を駆動する。モータピニオン５０Ｋは、同軸に配置された感光体駆動アイドル歯車５１Ｋ及び転写駆動第１アイドル歯車５４と噛合する。また、モータピニオン５０Ｋは、別軸の現像駆動第１アイドル歯車５２Ｋと噛合する。駆動基板５５に一端を支持された感光体歯車軸６２に感光体歯車６３が回転自在に配置される。感光体歯車６３は、感光体駆動アイドル歯車５１Ｋと噛合する。感光体歯車軸６２は、第１輪列支持板５８の上面から突出する高さまでのび、感光体歯車軸６２に回転自在に配置された感光体歯車６３の上端には、カップリング部６４が一体に形成される。カップリング部６４は、カートリッジ内の感光体２０の端部に形成したカップリング部と係合し、駆動力を伝達する。また、駆動基板５６と第１輪列支持板５８に両端を支持された軸６５に転写駆動第２アイドル歯車５５が回転自在に配置される。転写駆動第２アイドル歯車５５は転写駆動第１アイドル歯車５４と噛合する。転写駆動第２アイドル歯車５５が、転写駆動歯車６６と噛合し、転写駆動ローラ１４を駆動する。
【００２８】
図６は、二股に分岐している画像形成ステーションＹ、Ｍ、Ｃの駆動伝達機構の断面図である。装置本体の駆動基板５６の下面に駆動モータ５７が取り付けられる。駆動基板５６上面に第１輪列支持板５８が取り付けられ、第１輪列支持板５８上に第２輪列支持板５９が取り付けられる。駆動モータ５７のモータピニオン５０Ｙ、Ｍ、Ｃは、駆動基板５６上面に突出する。駆動基板５６と第１輪列支持板５７に両端を支持された軸６０の上下に感光体駆動アイドル歯車５１Ｙ、Ｍ、Ｃが回転自在に配置される。駆動基板５５と第２輪列支持板５８に両端を支持された軸６１に、現像駆動第１アイドル歯車５２Ｙ、Ｍ、Ｃがバネ６１を介して上下動可能かつ回転自在に配置される。現像駆動第１アイドル歯車５２Ｙ、Ｍ、Ｃは、カートリッジ内の現像駆動第２アイドル歯車５３Ｙ、Ｍ、Ｃと噛合し、現像駆動第２アイドル歯車５３Ｙ、Ｍ、Ｃは、現像駆動歯車６７と噛合し、現像ローラ３３を駆動する。モータピニオン５０Ｙ、Ｍ、Ｃは、感光体駆動アイドル歯車５１Ｙ、Ｍ、Ｃと噛合する。また、モータピニオン５０Ｙ、Ｍ、Ｃは、別軸の現像駆動第１アイドル歯車５２Ｙ、Ｍ、Ｃと噛合する。駆動基板５５に一端を支持された感光体歯車軸６２に感光体歯車６３が回転自在に配置される。感光体歯車６３は、感光体駆動アイドル歯車５１Ｙ、Ｍ、Ｃと噛合する。感光体歯車軸６２は、第１輪列支持板５８の上面から突出する高さまでのび、感光体歯車軸６２に回転自在に配置された感光体歯車６３の上端には、カップリング部６４が一体に形成される。カップリング部６４は、カートリッジ内の感光体２０の端部に形成したカップリング部と係合し、駆動力を伝達する。
【００２９】
本発明のタンデム型カラー画像形成装置においては、Ｙ（イエロー）、Ｍ（マゼンタ）、Ｃ（シアン）、Ｋ（ブラック）の各色の画像を形成する画像形成ステーションＹ、Ｍ、Ｃ、Ｋを、転写ベルトの走行方向に沿って列設し、各画像形成ステーションにおける画像形成のタイミングをずらしながら転写ベルト若しくは転写ベルトによって搬送される記録媒体に各色の画像を多重転写してカラー画像を得るので、各画像形成ステーションの駆動源の駆動速度及び転写ベルトの駆動速度に変動が生じると、各色の画像の転写位置が微妙に異なって色ずれが生じ、高画質のカラー画像が得られないことになる。
【００３０】
そのため、各画像形成ステーションＹ、Ｍ、Ｃ、Ｋの像担持体２０上の各々にレジストマークを形成し、各像担持体２０から中間転写ベルト１６に前記レジストマークを転写して、前記中間転写ベルト１６上に複数のレジストマークを形成し、形成された複数の前記レジストマークの位置を検知し、検知信号に基づいて画像形成における各色画像間のレジストレーション制御が行われる。
【００３１】
本発明の画像形成装置においては、各画像形成ステーションＹ、Ｍ、Ｃ、Ｋのいずれか１つの画像形成ステーションの駆動源が転写ベルト１６を駆動するので、転写ベルトを駆動する駆動源が、他の画像形成ステーションの駆動源より駆動負荷が大きくなり、その結果、像担持体２０の回転速度が他の駆動源により駆動される像担持体２０の回転速度より遅くなる。その結果、各レジストマークの形成位置に差が生じ、レジストレーション制御が複雑になる。それを防止するために、本発明においては、転写ベルトを駆動する画像形成ステーションの像担持体２０により形成されるレジストマークを基準として他の画像形成ステーションの駆動源を駆動することにより、色ずれの少ない高画質のカラー画像を得ることが可能となる。
【００３２】
転写ベルトを駆動する画像形成ステーションは、単色モードの画像を形成する画像形成ステーションが好ましい。単色モードの画像形成ステーションは、最も使用頻度が高いため複数の画像形成ステーションの最下流に配置でき、転写ローラの駆動ローラとの位置関係から歯車の配置がしやすいためである。
【００３３】
転写ベルトを駆動する画像形成ステーションは、黒色の画像を形成する画像形成ステーションが好ましい。黒色の画像形成ステーションは単色モードの画像形成ステーションとして使用される頻度が高いためである。
【図面の簡単な説明】
【００３４】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【符号の説明】
【００３５】
１：画像形成装置
２：ハウジング本体
９：転写ベルトユニット
１０：給紙ユニット
１１：二次転写ユニット
１２：定着ユニット
１３：記録媒体搬送手段
１４：転写ベルト駆動ローラ
１５：従動ローラ
１６：中間転写ベルト
１７：クリーニング手段
１８：テストパターンセンサ
１９：二次転写ローラ
２０：像担持体
２１：１次転写部材
２２：帯電手段
２３：像書込手段
２４：現像手段
２６：トナー貯留容器
２７：トナー貯留部
２９：トナー攪拌部材
３０：仕切部材
３１：トナー供給ローラ
３２：ブレード
３３：現像ローラ
３４：規制ブレード
３５：給紙セット
３６：ピックアップローラ
３７：レジストローラ対
３９：排紙ローラ対
４０：両面プリント用搬送路
４１：固定軸
４２：回転レバー
４３：スプリング
４４：偏心カム
４５：加熱ローラ
４６：加圧ローラ
４７：ベルト張架部材
４９：耐熱ベルト
５０Ｙ、５０Ｍ、５０Ｃ、５０Ｋ：第１〜第４駆動モータピニオン
５１Ｙ、５１Ｍ、５１Ｃ、５１Ｋ：感光体駆動アイドル歯車
５２Ｙ、５２Ｍ、５２Ｃ、５２Ｋ：現像駆動第１アイドル歯車
５３Ｙ、５３Ｍ、５３Ｃ、５３Ｋ：現像駆動第２アイドル歯車
５４：転写駆動第１アイドル歯車
５５：転写駆動第２アイドル歯車
５６：駆動基板
５７：モータ
５８：第１輪列支持板
５９：第２輪列支持板
６０：軸
６１：軸
６２：感光体歯車軸
６３：感光体歯車
６４：カップリング部
６５：軸
６６：転写駆動歯車
６７：現像駆動歯車
【図１】
2006171632.tif 000003
【図２】
2006171632.tif 000004
【図３】
2006171632.tif 000005
【図４】
2006171632.tif 000006
【図５】
2006171632.tif 000007
【図６】
2006171632.tif 000008